(57)【特許請求の範囲】
【請求項１】
シート材を袋体に形成してなるリフィルの綴じ穴において、上記リフィルの側端部にシート材を折り返してなる綴じ穴を有する補強部を設け、該補強部に折り返された部位のシート材を熱圧着してなる陥凹部を上記綴じ穴の周縁に沿って点状に設け、上記陥凹部と上記陥凹部の縁辺に形成された突出部と該突出部間に残存する折返部とが断面視規則的な波状に形成されることを特徴とするリフィル用補強綴じ穴。
【請求項２】
上記補強部は上記陥凹部、突出部、折返部の順に硬度が小となることを特徴とする請求項１記載のリフィル用補強綴じ穴。
【請求項３】
上記陥凹部は上記綴じ穴の周縁に沿って放射状に複数設けられることを特徴とする請求項１又は請求項２記載のリフィル用補強綴じ穴。  
【発明の詳細な説明】
【技術分野】
【０００１】
本願発明は、シート材を袋体に形成してなるリフィルに関し、とくにその綴じ穴の補強に関する。
【背景技術】
【０００２】
リフィルは、シート状の袋体個々に書類等がファイルされこれが多数積層されて綴じ穴にバインダファイルの止め具を挿入して編綴される。
【０００３】
最近のリフィルにはポケットが形成されたものがあり、ここにＣＤ等が収納された場合綴じ穴には大なる負荷がかかるため、綴じ穴が破損し編綴できなくなることがあった。
【０００４】
これを防止すべく、綴じ穴の周縁をリング状に強化する製品等が現われた。
【０００５】
しかし、この場合その強化された部分に一様の力が集中して負荷されるので、補強強さは素材の強度に依存するという欠点があった。
【０００６】
また、シート材の生地厚を厚くして強度を得ることも考えられるが、この場合シート材の重量が厚くなり、使用上不適になりコスト高の一因ともなる。
【特許文献１】特開平１１−３０９９７４
【発明の開示】
【発明が解決しようとする課題】
【０００７】
本願発明は上記背景に鑑み、綴じ穴周縁の強度を増強することを目的とする。
【０００８】
またシート材全体の厚さを変えずに綴じ穴部の強化をし、使用に適しコスト増にもならないことを目的とする。
【課題を解決するための手段】
【０００９】
上記目的達成のため、本願発明によるリフィル用補強綴じ穴は、シート材を袋体に形成してなるリフィルの綴じ穴において、上記リフィルの側端部にシート材を折り返してなる綴じ穴を有する補強部を設け、該補強部に折り返された部位のシート材を熱圧着してなる陥凹部を上記綴じ穴の周縁に沿って点状に設け、上記陥凹部と上記陥凹部の縁辺に形成された突出部と該突出部間に残存する折返部とが断面視規則的な波状に形成されることを特徴とする。
また、請求項１記載のリフィル用補強綴じ穴において、上記補強部は上記陥凹部、突出部、折返部の順に硬度が小となることを特徴とする。
また、請求項１又は請求項２記載のリフィル用補強綴じ穴において、上記陥凹部は上記綴じ穴の周縁に沿って放射状に複数設けられることを特徴とする。
【発明の効果】
【００１０】
外力が最もかかる綴じ穴の周縁には硬度の大なる陥凹部、素材の柔軟性を残存させる折返部及び硬度が両者の中間程度の突出部が形成されるため、硬軟の程度が異なる部分が綴じ穴の周縁に沿って平面視点状かつ断面視波状に、つまり水平方向にも垂直方向にも規則的に形成される。このため、外力を逃がす部分が適宜に生じ、綴じ穴にかかる力が分散されるので、外力の部分的集中に起因する破損を防止することができる。
【００１１】
また、シート材は通常の厚さのものを使用し補強部のみを折り返しているため、リフィルの全体重量に実質上の影響を与えないので使用にも適しコスト増にもならない。
【発明を実施するための最良の形態】
【００１２】
次に、実施の形態を示す図面に基づき本願発明によるリフィル用補強綴じ穴をさらに詳しく説明する。なお、便宜上同一の機能を奏する部分には同一の符号を付してその説明を省略する。
【００１３】
リフィル１は引張強度が大で熱圧着可能な高分子化合物のシート材３例えばポリプロピレンからなり、生地厚がａ（例えば０．２ｍｍ）のものを適宜に折り又は熔着する等して所定形状の袋体に形成される。５はリフィル１の左側端部２に設けられる補強部であり、上記シート材３の折返し部分５ａを折り返してなる。該補強部５の厚さは熱圧着時に押しつぶされ１．５ａとなっている。
【００１４】
上記補強部５にはバインダファイル（図示せず）の止め具（図示せず）に編綴するための綴じ穴７が２箇所設けられる。該綴じ穴７の周縁には円周に沿って折り返された部位のシート材を熱圧着してなる陥凹部９が１０個設けられる。各陥凹部９の縁辺には熱圧着の際熱で溶かされた素材が盛り上がり固化されてなる突出部１１が形成される。１３は上記陥凹部９間に点状に残存する折返部である。１５はＣＤ等を収納するマチ付きのポケットである。
【００１５】
ここで綴じ穴７周縁の上記各部の硬度についてみると、陥凹部９は熱圧着により最も硬く硬化しており、厚さは１．５ａ程度である。次いで突出部１１は熱で溶かされた素材が盛り上がり固化されているので陥凹部９に次いで硬くなっており、厚さは２．５ａ程度である。折返部１３は単にシート材３が二重になっているだけの部分なので素材の柔軟性を残存させており、厚さは２ａである。
【００１６】
リフィル１をめくる際ポケット１５にＣＤが収納されていたりリフィル１内に多数の書類が収納されていたりすると、綴じ穴７に大なる外力が負荷される。本願発明においてはこのような場合、外力が綴じ穴７の周縁に沿って硬度の大なる陥凹部９、次に硬い突出部１１、柔軟性を残存させた折返部１３という硬軟の程度が異なる部位が平面視点状かつ断面視波状に、つまり水平方向にも垂直方向にも規則的に形成されているため、外力を逃がす部分が適宜に生じ、綴じ穴７にかかる力が分散される。よってリフィル１の綴じ穴７からの破損を防止することができる。
【００１７】
またリフィル１はシート材３の生地厚が補強部５以外は通常の厚さ（例えば０．２ｍｍ）であるため、リフィル１の全体重量に実質上の影響を与えないので使用にも適しコスト増にもならない。
【００１８】
本願発明にかかるリフィルはその態様を問わない。例えば、図３（Ａ）に示すような単純な袋体からなるリフィルはもちろん、図３（Ｂ）に示すようなマチ付きのリフィル、図３（Ｃ）に示すような他の形態のポケット１６を有するリフィルにも適用可能である。また本願発明は図３（Ｂ）に示すような補強部５に切欠６のある場合にも適用可能である。
【００１９】
上記陥凹部９の個数、形状は任意である。
【００２０】
また綴じ穴７の個数、形状も任意であり、多穴リフィルにも適用可能である。
【００２１】
さらにリフィルを編綴する止め具も任意であり、例えばパイプファイルであってもリングファイルであってもよい。
【産業上の利用可能性】
【００２２】
本願発明は文房具とくにリフィルに活用することができる。
【図面の簡単な説明】
【００２３】
【図１】（Ａ）は本願発明によるリフィルの一の実施例を示す正面図、（Ｂ）は（Ａ）のＢ部拡大図である。
【図２】（Ａ）は本願発明による綴じ穴の拡大図、（Ｂ）は（Ａ）の拡大断面図である。
【図３】（Ａ）は本願発明によるリフィルの他の実施例を示す正面図、（Ｂ）はさらに他の実施例を示す正面図、（Ｃ）はさらに他の実施例を示す正面図である。
【符号の説明】
【００２４】
１        リフィル
２        左側端部
３        シート材
５        補強部
５ａ      折返し部分
６        切欠
７        綴じ穴
９        陥凹部
１１      突出部
１３      折返部
１５      ポケット
１６      ポケット
【図１】
0004725806.tif 000002
【図２】
0004725806.tif 000003
【図３】
0004725806.tif 000004